【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
シートに画像を形成する画像形成手段と、
シートの搬送方向に対して後端となる部位に綴じ処理を行う綴じユニットと、
シートの搬送方向に対して先端となる部位にパンチ処理を行う第１のパンチユニットと、
前記綴じユニットにより綴じ処理を行う綴じモード、前記第１のパンチユニットによりパンチ処理を行う第１のパンチモードをそれぞれ後処理モードとして設定するモード設定手段と、
前記第１のパンチモードが設定されたときに、前記綴じモードの設定を禁止し、前記綴じモードが設定されたときに、前記第１のパンチモードの設定を禁止する制御手段と
を有することを特徴とする画像形成装置。
【請求項２】
シートの搬送方向に対して後端となる部位にパンチ処理を行う第２のパンチユニットを有し、
前記モード設定手段は、前記第２のパンチユニットによりパンチ処理を行う第２のパンチモードを前記第１のパンチモードと排他的に設定することが可能であり、
前記制御手段は、前記第２のパンチモードが設定されたときに、前記綴じモードの設定を許可し、前記綴じモードが設定されたときに、前記第２のパンチモードの設定を許可することを特徴とする請求項１記載の画像形成装置。
【請求項３】
シートに画像を形成する画像形成手段と、
シートの搬送方向に対して後端となる部位に綴じ処理を行う綴じユニットと、
シートの搬送方向に対して先端となる部位にパンチ処理を行う第１のパンチユニットと、
前記綴じユニットにより綴じ処理を行う綴じモード、前記第１のパンチユニットによりパンチ処理を行う第１のパンチモードをそれぞれ後処理モードとして設定するモード設定手段と、
前記綴じモードが設定されている状態で前記第１のパンチモードの設定が行われると、該綴じモードの設定を解除し、前記第１のパンチモードが設定されている状態で前記綴じモードの設定が行われると、該第１のパンチモードの設定を解除する制御手段と
を有することを特徴とする画像形成装置。
【請求項４】
シートに画像を形成する画像形成手段と、
シートの搬送方向に対して後端となる部位に綴じ処理を行う綴じユニットと、
シートの搬送方向に対して先端となる部位にパンチ処理を行う第１のパンチユニットと、
前記綴じユニットにより綴じ処理を行う綴じモード、前記第１のパンチユニットによりパンチ処理を行う第１のパンチモードをそれぞれ後処理モードとして設定するモード設定手段と、
前記第１のパンチモードと前記綴じモードとのいずれかを優先後処理モードとして選択する優先後処理モード選択手段と、
前記モード設定手段により前記第１のパンチモードと前記綴じモードとのいずれか一方の後処理モードが設定されている状態で他方の後処理モードが設定されると、前記設定されている後処理モードのうち、前記選択されている優先後処理モードと異なる後処理モードの設定を解除する制御手段と
を有することを特徴とする画像形成装置。
【請求項５】
シートに画像を形成する画像形成手段と、
シートの搬送方向に対して後端となる部位に綴じ処理を行う綴じユニットと、
シートの搬送方向に対して先端となる部位にパンチ処理を行う第１のパンチユニットと、
前記綴じユニットにより綴じ処理を行う綴じモード、前記第１のパンチユニットによりパンチ処理を行う第１のパンチモードをそれぞれ後処理モードとして設定するモード設定手段と、
前記モード設定手段により前記第１のパンチモードと前記綴じモードとのいずれか一方の後処理モードが設定されている状態で他方の後処理モードが設定されると、前記第１のパンチモードと前記綴じモードとのいずれを有効にするかを選択する選択手段と、
前記設定されている後処理モードのうち、前記有効にするように選択された処理モードと異なる後処理モードの設定を解除する制御手段と
を有することを特徴とする画像形成装置。
【請求項６】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置の制御方法であって、
前記綴じユニットにより綴じ処理を行う綴じモード、前記第１のパンチユニットによりパンチ処理を行う第１のパンチモードをそれぞれ後処理モードとして設定するモード設定工程と、
前記第１のパンチモードが設定されたときに、前記綴じモードの設定を禁止し、前記綴じモードが設定されたときに、前記第１のパンチモードの設定を禁止する制御工程と
を有することを特徴とする画像形成装置の制御方法。
【請求項７】
前記画像形成装置は、シートの搬送方向に対して後端となる部位にパンチ処理を行う第２のパンチユニットを備え、
前記モード設定工程では、前記第２のパンチユニットによりパンチ処理を行う第２のパンチモードを前記第１のパンチモードと排他的に設定することが可能であり、
前記制御工程では、前記第２のパンチモードが設定されたときに、前記綴じモードの設定を許可し、前記綴じモードが設定されたときに、前記第２のパンチモードの設定を許可することを特徴とする請求項６記載の画像形成装置の制御方法。
【請求項８】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置の制御方法であって、
前記綴じユニットにより綴じ処理を行う綴じモード、前記第１のパンチユニットによりパンチ処理を行う第１のパンチモードをそれぞれ後処理モードとして設定するモード設定工程と、
前記綴じモードが設定されている状態で前記第１のパンチモードの設定が行われると、該綴じモードの設定を解除し、前記第１のパンチモードが設定されている状態で前記綴じモードの設定が行われると、該第１のパンチモードの設定を解除する制御工程と
を有することを特徴とする画像形成装置。
【請求項９】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置の制御方法であって、
前記綴じユニットにより綴じ処理を行う綴じモード、前記第１のパンチユニットによりパンチ処理を行う第１のパンチモードをそれぞれ後処理モードとして設定するモード設定工程と、
前記第１のパンチモードと前記綴じモードとのいずれかを優先後処理モードとして選択する優先後処理モード選択工程と、
前記第１のパンチモードと前記綴じモードとのいずれか一方の後処理モードが設定され
ている状態で他方の後処理モードが設定されると、前記設定されている後処理モードのうち、前記選択されている優先後処理モードと異なる後処理モードの設定を解除する制御工程と
を有することを特徴とする画像形成装置の制御方法。
【請求項１０】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置の制御方法であって、
前記綴じユニットにより綴じ処理を行う綴じモード、前記第１のパンチユニットによりパンチ処理を行う第１のパンチモードをそれぞれ後処理モードとして設定するモード設定工程と、
前記第１のパンチモードと前記綴じモードとのいずれか一方の後処理モードが設定されている状態で他方の後処理モードが設定されると、ユーザの操作に基づいて前記第１のパンチモードと前記綴じモードとのいずれを有効にするかを選択する選択工程と、
前記設定されている後処理モードのうち、前記有効にするように選択された処理モードと異なる後処理モードの設定を解除する制御工程と
を有することを特徴とする画像形成装置の制御方法。
【手続補正２】
【補正対象書類名】明細書
【補正対象項目名】発明の名称
【補正方法】変更
【補正の内容】
【発明の名称】画像形成装置およびその制御方法
【手続補正３】
【補正対象書類名】明細書
【補正対象項目名】０００１
【補正方法】変更
【補正の内容】
【０００１】
本発明は、シートに対して後処理を行うことが可能な画像形成装置およびその制御方法に関する。
【手続補正４】
【補正対象書類名】明細書
【補正対象項目名】００１２
【補正方法】変更
【補正の内容】
【００１２】
本発明の目的は、成果物に不具合を生じさせるような、綴じモードとパンチモードとの不適切な組み合わせの設定が行われることを未然に回避することができる画像形成装置およびその制御方法を提供することにある。
【手続補正５】
【補正対象書類名】明細書
【補正対象項目名】００１７
【補正方法】変更
【補正の内容】
【００１７】
また、本発明は、上記目的を達成するため、画像形成装置の制御方法を提供する。